(57)【特許請求の範囲】
【請求項１】
噴射ロッドを地盤に貫入し、地盤の所定深度にて噴射ロッドから高圧流体を周囲に噴射し、この高圧流体の噴射をわずかに上下にずらしながら複数段にわたって行うことで、その周囲の地盤を緩めて地盤に上下方向に厚みのある緩み領域を造作し、この上下方向に厚みのある緩み領域の造作を必要な所定深度ごとに行う事前噴射工程と、
この事前噴射工程完了後に、注入管を地盤に挿入し、この注入管から事前噴射工程にて必要な所定深度ごとに造作したそれぞれの地盤の緩み領域に注入材を注入することにより、地盤の緩み領域を通してその外側の地盤に注入材を浸透させ、地盤中に所望の大きさで上下に連なった固結改良体を造成する固結改良体造成工程と、
から成ることを特徴とする地盤改良における注入材注入方法。
【請求項２】
前記事前噴射工程において、地盤の緩み領域を造作したのち、この緩み領域に砂を充填するようにしたことを特徴とする請求項１記載の地盤改良における注入材注入方法。
【請求項３】
前記事前噴射工程にて造作する緩み領域の大きさを、噴射ロッドから噴射する高圧流体の噴射条件をコントロールすることで、地盤の性状に応じて変更し、この緩み領域の大きさを変更することにより、地盤中に所望の大きさの固結改良体を造成するようにしたことを特徴とする請求項１及び請求項２記載の地盤改良における注入材注入方法。
【発明の詳細な説明】
【技術分野】
【０００１】
本発明は、地盤に溶液型注入材や懸濁液型注入材などの注入材を注入して、地盤中に固結改良体を造成することにより、地盤の液状化防止などの地盤強化を目的とする地盤改良における注入材注入方法に関する。
【背景技術】
【０００２】
従来、地盤改良における注入材注入方法において広く採用されている工法として、二重管ダブルパッカー工法があった。この二重管ダブルパッカー工法は、外管２４と内管２６よりなる二重の注入管２３を用いるもので、地盤に外管２４を設置したのち、先端にダブルパッカー２７を装着した内管２６を外管２４内に挿入して、外管２４内に挿入したダブルパッカー２７から外管２４のバルブ部２５を経て地盤に注入材を注入して、地盤中に固結改良体を造成するものである。
【０００３】
これは、図１０（ａ）に示すように、地盤をケーシングパイプ２０にて削孔し、図１０（ｂ）に示すように、この内部にシール材Ｇを充填する。図１０（ｃ）に示すように、そこに外管２４を挿入し、この外管２４には一定の間隔でバルブ部２５を複数設けている。外管２４を設置したのち、ケーシングパイプ２０を引抜き、図１０（ｄ）に示すように、外管２４内に先端にダブルパッカー２７を装着した内管２６を挿入する。次に、図１０（ｅ）に示すように、内管２６の先端に装着したダブルパッカー２７を外管２４のバルブ部２５に合わせる。そして、内管２６内に注入材Ｍを圧送し、先端のダブルパッカー２７から注入材Ｍを吐出して、外管２４のバルブ部２５を経て地盤に注入材Ｍを注入する。地盤に注入材Ｍの注入が完了したのち、図１０（ｆ）に示すように、外管２４における一段下方のバルブ部２５にダブルパッカー２７を合わせて、先程と同様に注入材Ｍを地盤に注入する。これを繰り返し行うことにより、地盤中に多数の固結改良体Ｐを造成することができ、地盤の液状化防止などの地盤強化を行うようにしている。
【発明の概要】
【発明が解決しようとする課題】
【０００４】
しかしながら、従来の地盤改良における注入材注入方法にあっては、地盤の性状によっては地盤への注入材の注入を良好に行うことができないといったことがあった。これは、細粒分が多く含まれ、かつ透水係数が小さい、たとえば透水係数ｋ＝１０−３ｃｍ／ｓｅｃ以下の地盤の場合、地盤に注入材を注入する際の注入材の浸透距離が極めて短くなるといった現象、さらには注入材の地盤への注入速度を高速で行うと、地盤に割裂が発生するといった現象などが起こるおそれがあった。特に、これらの現象は、注入材に懸濁液型注入材を使用した場合に顕著に現れるものであった。
【０００５】
そこで、注入材の注入速度を小さくしたり、あるいは注入部の注入断面を上下方向に大きくしたりといった対策を講じる工夫もされていたが、注入速度を小さくすると作業時間が増して、また注入断面を大きくすることは作業の手間や作業装置の複雑化といった問題が生じる。しかも、注入材の地盤への浸透距離については長くすることが難しく、大きな径の固結改良体を地盤中に造成することが困難であった。このように大きな径の固結改良体を地盤中に造成することができないことから、小さな径の固結改良体を間隔を狭めて大量の本数造成することによって、地盤改良を行うようにしていたが、このような大量の本数の固結改良体を造成することで、地盤改良における工費が増大するといった問題があった。
【０００６】
本発明は、かかる従来の問題に鑑み、透水係数が比較的小さい地盤であっても、地盤に良好に注入材を注入し、所望の大きさの固結改良体を地盤中に造成することのできる地盤改良における注入材注入方法を提供することを、その課題とする。
【課題を解決するための手段】
【０００７】
第一の発明は、
噴射ロッドを地盤に貫入し、地盤の所定深度にて噴射ロッドから高圧流体を周囲に噴射し、この高圧流体の噴射をわずかに上下にずらしながら複数段にわたって行うことで、その周囲の地盤を緩めて地盤に上下方向に厚みのある緩み領域を造作し、この上下方向に厚みのある緩み領域の造作を必要な所定深度ごとに行う事前噴射工程と、この事前噴射工程完了後に、注入管を地盤に挿入し、この注入管から事前噴射工程にて必要な所定深度ごとに造作したそれぞれの地盤の緩み領域に注入材を注入することにより、地盤の緩み領域を通してその外側の地盤に注入材を浸透させ、地盤中に所望の大きさで上下に連なった固結改良体を造成する固結改良体造成工程と、から成る地盤改良における注入材注入方法である。
【０００８】
第二の発明は、第一の発明における事前噴射工程において、地盤の緩み領域を造作したのち、この緩み領域に砂を充填するようにした地盤改良における注入材注入方法である。
【０００９】
第三の発明は、第一又は第二の発明における事前噴射工程にて造作する緩み領域の大きさを、噴射ロッドから噴射する高圧流体の噴射条件をコントロールすることで、地盤の性状に応じて変更し、この緩み領域の大きさを変更することにより、地盤中に所望の大きさの固結改良体を造成するようにした地盤改良における注入材注入方法である。
【発明の効果】
【００１０】
第一の発明によれば、事前噴射工程において、地盤の必要所定深度にて高圧流体を周囲に噴射して、地盤を緩めて地盤に緩み領域を造作しておくことで、どのような性状の地盤であっても、そのあとの固結改良体造成工程において、注入管から注入材を地盤に注入する際、事前噴射工程にて造作した緩み領域を注入材が良好に浸透していき、注入材が緩み領域の端部からその外側の地盤に浸透することから、注入材の最終的な浸透距離を長くすることができ、所望の大きさの固結改良体を確実に造成することができる。これにより、注入材を地盤に注入する際に起こる割裂といった現象も無くすことができ、しかも、従来のような小さな径の固結改良体の間隔を狭めて大量の本数造成するといったことがなく、ある程度の間隔をあけて大きな径の固結改良体を地盤中に造成することにより、固結改良体の本数を減らすことができることから、地盤改良工事における工期の短縮や工費の大幅な低減を図ることができる。
【００１１】
また、第二の発明によれば、事前噴射工程にて造作した緩み領域に周りの地盤より透水係数の大きなたとえば粒径の大きな砂を充填したことで、この緩み領域に外部から強い土圧がかかっても、充填した砂によって緩み領域が閉塞されるのを無くすことができ、これにより、後工程の固結改良体造成工程にて行う注入材の注入を極めて良好かつ確実に行うことができる。
【００１２】
また、第三の発明によれば、事前噴射工程にて造作する緩み領域の大きさを地盤の性状に応じて変更することで、透水係数が小さめの地盤であっても、所望の大きさの固結改良体を造成することができ、常に最適な地盤改良工事を行うことができる。
【図面の簡単な説明】
【００１３】
【図１】本発明の地盤改良における注入材注入方法の施工手順を示す説明図である。
【図２】本発明の地盤改良における注入材注入方法の施工手順を示す説明図である。
【図３】本発明の地盤改良における注入材注入方法の施工手順を示す説明図である。
【図４】本発明の地盤改良における注入材注入方法の施工手順を示す説明図である。
【図５】本発明の地盤改良における注入材注入方法の施工手順を示す説明図である。
【図６】本発明の地盤改良における注入材注入方法の施工手順を示す説明図である。
【図７】地盤中に造成する固結改良体の状態を示す説明図である。
【図８】地盤の性状が異なる場合の固結改良体の造成を示す説明図である。
【図９】本発明の地盤改良における注入材注入方法の別の例の施工手順の一部を示す説明図である。
【図１０】従来の二重管ダブルパッカー工法の施工手順を示す説明図である。
【発明を実施するための形態】
【００１４】
本発明による地盤改良における注入材注入方法の一実施形態について説明する。
この地盤改良における注入材注入方法は、地盤の必要所定深度にて高圧流体Ｗを周囲に噴射して、地盤を緩めて地盤に緩み領域Ｔを造作する事前噴射工程と、地盤の緩み領域Ｔを通して地盤に注入材Ｍを注入して、地盤中に固結改良体Ｐを造成する固結改良体造成工程と、から成る。
【００１５】
これを、施工手順に沿って説明する。
まず、地盤に緩み領域Ｔを造作する事前噴射工程を行う。これは、図１（ａ）に示すように、図示しない施工機械にて噴射ロッド１を地盤に貫入する。この噴射ロッド１は直径６０〜９０ｍｍ程度で、そこには高圧流体Ｗが噴射可能な噴射ノズル２を備えており、図示しない高圧ポンプや発電機などの供給プラントから高圧流体Ｗが供給されて、噴射ロッド１の噴射ノズル２から高圧流体Ｗが噴射するようになっている。また、高圧流体Ｗとしては、高圧水とエアーであって、噴射ノズル２の中心側から高圧水が、その周囲からエアーが噴射される。なお、高圧流体Ｗはこれに限定されるものではなく、高圧水のみでも良い。また、噴射ノズル２も一ヶ所に限定されるものではなく、噴射ロッド１の周方向にわたって複数備えるようにしても良い。
【００１６】
そして、噴射ロッド１を貫入したのち、図１（ｂ）に示すように、地盤の所定深度にて噴射ロッド１の噴射ノズル２から高圧流体Ｗを周囲に噴射する。この噴射は、噴射ロッド２を回転させながら高圧流体Ｗを一定時間噴射し続ける。そして、高圧流体Ｗを噴射したまま、図１（ｃ）に示すように、噴射ロッド１を上方にわずかに引抜き、この上方への引抜きは２〜１０ｃｍ程度である。そして、図１（ｄ）に示すように、噴射ロッド１を回転させながら高圧流体Ｗを一定時間噴射し続ける。このように高圧流体Ｗを噴射して、その周囲の地盤を緩めることで、地盤に一番目の緩み領域Ｔを造作する。なお、この一番目の緩み領域Ｔを造作する際の高圧流体Ｗの噴射については、上下にずらしながら二段にわたって行っているが、Ｎ値や透水係数ｋなどの地盤の性状に応じて、三段や四段、それ以上の複数段にしても良く、要するに、二段以上の複数段にわたって行うことで、上下方向に厚みのある緩み領域Ｔを造作することが可能となる。
【００１７】
また、実際には地盤の性状により異なるものの、Ｎ値が約２０以下の場合、噴射ノズル２のノズル径は３〜６ｍｍ程度、エアーの噴射圧力は０．１〜１．０ＭＰａ程度、高圧水の噴射圧力は１０〜４０ＭＰａ程度、高圧水の吐出流量は１０〜２００Ｌ／ｍｉｎ程度、噴射時間は１０〜３００ｓｅｃ程度、噴射ロッドの回転数は３〜６ｒｐｍ程度であり、これら高圧流体Ｗの噴射圧力や噴射量、噴射時間など条件を地盤の性状に合わせて適宜選択しコントロールすることで、側方向に所望の大きさ（大きな径）の緩み領域Ｔを造作するようにしている。
【００１８】
次に、図２（ｅ）に示すように、噴射ロッド１を所定長さだけ、たとえば１〜２ｍ引抜いて、図２（ｆ）に示すように、地盤の所定深度にて再び噴射ロッド１の噴射ノズル２から高圧流体Ｗを周囲に噴射する。この噴射も、噴射ロッド１を回転させながら高圧流体Ｗを一定時間噴射し続け、そして、図２（ｇ）に示すように、噴射ロッド１を上方にわずかに引抜き、図２（ｈ）に示すように、噴射ロッド１を回転させながら高圧流体Ｗを一定時間噴射し続ける。このように高圧流体Ｗを噴射して、その周囲の地盤を緩めることで、一番目の緩み領域Ｔの上方に、二番目の緩み領域Ｔを造作する。
【００１９】
さらに、必要に応じて、三番目、四番目といった緩み領域Ｔを造作することで、必要な所定深度ごとに緩み領域Ｔをそれぞれ造作する。このように地盤に必要な数の緩み領域Ｔを造作したら、図２（ｉ）に示すように、噴射ロッド１を引抜き、これにより、事前噴射工程が完了する。
【００２０】
次に、この事前噴射工程が完了したら、地盤中に固結改良体Ｐを造成する固結改良体造成工程を行う。なお、この工程において採用する工法としては、バルブ部５を設けた外管４とダブルパッカー７を装着した内管６とよりなる二重の注入管３を用いる二重管ダブルパッカー工法である。
【００２１】
図３（ａ）に示すように、事前噴射工程にて緩み領域Ｔを造作した場所にケーシングパイプ１０を貫入する。そして、図３（ｂ）に示すように、ケーシングパイプ１０の内部にシール材Ｇを充填し、充填後、図３（ｃ）に示すように、そこに注入管３の外管４を挿入する。この外管４には一定の間隔でバルブ部５を複数設けており、この外管４に設けるバルブ部５の位置は事前噴射工程にて造作した複数の緩み領域Ｔの位置と合うように略同じ位置にする。そして、この外管４を設置したのち、図３（ｄ）に示すように、ケーシングパイプ１０を引抜き、図４（ｅ）に示すように、外管４内に先端にダブルパッカー７を装着した内管６を挿入する。この内管６の先端に装着したダブルパッカー７には吐出口８を多数備えており、図示しない材料貯蔵槽や注入ポンプなどの注入プラントから注入材Ｍが供給されて、ダブルパッカー７の吐出口８から注入材Ｍが吐出するようになっている。この注入材Ｍとしては、セメント、ベントナイトやスラグなどの懸濁粒子を含んだ懸濁液型注入材である。ただし、これに限定されるものではなく、水ガラスを主成分とする溶液型注入材でも良い。
【００２２】
次に、内管６を下端部まで挿入し、図４（ｆ）に示すように、内管６の先端に装着したダブルパッカー７を外管４の一番下方のバルブ部５及び事前噴射工程にて造作した一番下方の緩み領域Ｔに合わせる。そして、内管６内に注入プラントから供給された注入材Ｍを圧送し、先端のダブルパッカー７の吐出口８から注入材Ｍを吐出する。この吐出した注入材Ｍは、外管４のバルブ部５を経て地盤の緩み領域Ｔに注入されることにより、図４（ｇ）に示すように、この緩み領域Ｔを通して緩み領域Ｔの端部からその外側の地盤に注入材Ｍが浸透する。このとき、事前噴射工程にて造作した地盤の緩み領域Ｔでは懸濁液型注入材であっても良好に浸透していき、そして、緩み領域Ｔを通ったのち、緩み領域Ｔの端部からその外側の地盤に注入材Ｍを浸透させ、図５（ｈ）に示すように、地盤中に所望の大きさである大きな径の固結改良体Ｐを造成する。
【００２３】
そして、下方の固結改良体Ｐの造成が終わったら、図５（ｉ）に示すように、内管６を引抜き、外管４における一段上のバルブ部５及び一段上の緩み領域Ｔにダブルパッカー７を合わせて、先程と同様に注入材Ｍをダブルパッカー７から吐出して、外管４のバルブ部５を経て地盤の緩み領域Ｔを通して、その外側の地盤に注入材Ｍを浸透させ、図５（ｊ）に示すように、先程と同様に地盤中に所望の大きさの固結改良体Ｐを造成する。
【００２４】
そして、この注入材Ｍの注入を地盤に造作した緩み領域Ｔごとに行うことにより、図６に示すように、地盤中に上下に連なった多数の固結改良体Ｐを造成することができ、これにより、固結改良体造成工程が完了する。
【００２５】
このようして、地盤中に所望の大きさの固結改良体Ｐを造成することにより、地盤の液状化防止などの地盤強化を行うことができる。
【００２６】
なお、固結改良体造成工程において採用された工法としては、外管４と内管６よりなる二重の注入管３を用いる二重管ダブルパッカー工法であったが、これに限定されるものではなく、たとえば、注入区間の上下に袋状に変形可能となるパッカーを備えて注入材の注入を行うようにした他の注入工法でも良い。
【００２７】
以上にように、事前噴射工程において、高圧流体Ｗを周囲に噴射して、地盤に緩み領域Ｔを造作しておくことで、透水係数ｋが小さめの地盤であっても、後工程の固結改良体造成工程にて注入管３から注入材Ｍを地盤に注入する際、事前噴射工程にて造作した緩み領域Ｔから周りの地盤に注入材Ｍが良好に浸透していき、注入材Ｍが緩み領域Ｔの端部からその外側の地盤に浸透することから、注入材Ｍの最終的な浸透距離を長くすることができ、所望の大きさである大きな径の固結改良体Ｐを造成することができる。
【００２８】
これについて図面を用いて説明すると、従来の地盤改良における注入材注入方法の場合、図７（ａ）に示すように、注入材Ｍを地盤に注入する際の注入材Ｍの浸透距離はｕであることから、注入材Ｍの最終的な浸透距離もｕであり、地盤中に造成する固結改良体Ｐの直径は２×ｕとなり、この固結改良体Ｐを所定の間隔ｈで上下に多数造成するようになる。これに対し、事前噴射工程にて地盤に緩み領域Ｔを造作したあとに固結改良体造成工程にて緩み領域Ｔを通して注入材Ｍを地盤に注入する場合、図７（ｂ）に示すように、注入材Ｍの浸透距離はｕであるものの、造作した緩み領域Ｔの大きさであるｒも加わるので、注入材Ｍの最終的な浸透距離はｕ＋ｒとなり、地盤中に造成する固結改良体Ｐの直径は２×（ｕ＋ｒ）となることで、従来の方法で造成する固結改良体Ｐと比べて大きな径の固結改良体Ｐを造成することができる。
【００２９】
また、事前噴射工程にて地盤に緩み領域Ｔを造作する際、二段以上の複数段にわたって行っていることで、緩み領域Ｔの上下方向の厚みを大きくし、要するに所望の厚みにすることができ、このように上下方向に厚みのある緩み領域Ｔを造作することで、後工程の固結改良体造成工程における緩み領域Ｔでの注入材Ｍの通りを格段に良くすることができ、これにより、緩み領域Ｔの外側の地盤への注入材Ｍの浸透を良好に行うことができ、所望の大きさである大きな径及び厚みのある固結改良体Ｐを確実に造成することができる。
【００３０】
さらに、本発明の地盤改良における注入材注入方法にあって、事前噴射工程では噴射ロッド１を用いると共に、固結改良体造成工程では注入管３を用いており、噴射ロッド１と注入管３をそれぞれ別々に使用することから、その装置が複雑になったり高価なものになったりすることがなく、単純かつ安価な装置にすることができ、工費も安価にすることができる。
【００３１】
また、事前噴射工程と固結改良体造成工程とを独立して行っていることで、固結改良体造成工程において採用する工法としては、二重管ダブルパッカー工法やその他の注入工法でも良く、これにより、多種多様な施工が可能となり、どのような工事現場にも対応することができる。
【００３２】
次に、地盤の性状、たとえば地盤の透水係数ｋが異なると、注入材Ｍの浸透距離も異なるが、このような異なる性状の地盤における固結改良体Ｐの造成について述べると、図８（ａ）に示すように、地盤の透水係数ｋが大きい場合は、注入材Ｍの浸透距離がｕａとなることから、事前噴射工程にて造作する緩み領域Ｔの側方向の大きさをｒａとして、注入材Ｍの最終的な浸透距離をｕａ＋ｒａとすることで、地盤中に所望の大きさである直径が２×（ｕａ＋ｒａ）の固結改良体Ｐが造成される。
【００３３】
一方、図８（ｂ）に示すように、地盤の透水係数ｋが小さい場合は、注入材Ｍの浸透距離が前記ｕａより短いｕｂとなることから、事前噴射工程にて造作する緩み領域Ｔの側方向の大きさを前記ｒａより長いｒｂと大きくして、注入材Ｍの最終的な浸透距離をｕｂ＋ｒｂとすることで、地盤中に所望の大きさである直径が２×（ｕｂ＋ｒｂ）の固結改良体Ｐが造成される。なお、注入材Ｍの浸透距離ｕｂが短いことから、上下に造成する固結改良体Ｐの間隔ｈも短くして、上下に多数の固結改良体Ｐを造成するようになる。
【００３４】
このように事前噴射工程にて造作する緩み領域Ｔの側方向の大きさを、地盤の性状（この場合は透水係数ｋ）に応じて変更することにより、地盤の透水係数ｋが大きい地盤に造成した直径が２×（ｕａ＋ｒａ）の固結改良体Ｐと、地盤の透水係数ｋが小さい地盤に造成した直径が２×（ｕｂ＋ｒｂ）の固結改良体Ｐとにあっては、その大きさを同じにすることができ、すなわち、地盤の性状が異なっていても、事前噴射工程にて造作する緩み領域Ｔの側方向の大きさを変更することで、最終的に造成する固結改良体Ｐの大きさを所望の大きさにすることができ、どのような性状の地盤でも、最適な固結改良体Ｐを造成することができる。
【００３５】
また、この事前噴射工程にて造作する緩み領域Ｔの側方向の大きさについては、前述したように、噴射ノズル２のノズル径、エアーの噴射圧力、高圧水の噴射圧力及び吐出流量、噴射時間、噴射ロッド１の回転数といった噴射ロッド１から噴射する高圧流体Ｗの噴射条件を適宜選択しコントロールすることにより、地盤の性状に応じた大きさに変更している。
【００３６】
次に、本発明による地盤改良における注入材注入方法の別の実施形態について説明すると、地盤の必要所定深度にて高圧流体Ｗを周囲に噴射して、地盤を緩めて地盤に緩み領域Ｔを造作する事前噴射工程と、地盤の緩み領域Ｔを通して地盤に注入材Ｍを注入して、地盤中に固結改良体Ｐを造成する固結改良体造成工程と、から成る点では、前述の実施形態と同様であるが、事前噴射工程において、地盤の緩み領域Ｔを造作したのち、この緩み領域Ｔに砂Ｓを充填するようにしている。
【００３７】
具体的には、事前噴射工程において、必要な数の緩み領域Ｔを地盤に造作し終えて、噴射ロッド１を引抜いたのち、図９（ａ）に示すように、この噴射ロッド１と略同寸（直径６０〜９０ｍｍ程度）の充填ロッド１１を貫入する。この充填ロッド１１には砂Ｓを吐出するための吐出孔１２を備えている。砂Ｓは、水や流動化剤、さらにはある時間経過後に流動化状態を通常の状態に戻す塑性化剤などの添加剤を加えて生成したものであり、図示しない供給プラントから供給されて、充填ロッド１１の吐出孔１２から砂Ｓが吐出するようになっている。そして、図９（ｂ）に示すように、地盤の所定深度に造作した緩み領域Ｔに充填ロッド１１の吐出孔１２から砂Ｓを吐出して、緩み領域Ｔに砂Ｓを充填する。なお、図９（ｃ）に示すように、この砂Ｓの充填は下側の緩み領域Ｔから上に順次行うものである。また、この砂Ｓの充填時において、砂圧入量と圧入圧力とを管理しておくことで、緩み領域Ｔへの砂Ｓの充填状況を把握することができる。これは、砂Ｓが緩み領域Ｔに十分に充填されると圧入圧力が上昇することから、この圧入圧力の上昇を判断の基準とし、砂Ｓを緩み領域Ｔ全域に確実に充填するようにしている。そして、この砂Ｓの充填をすべての緩み領域Ｔに行ったのち、充填ロッド１１を引抜くことにより、事前噴射工程が完了し、そして、後工程の固結改良体造成工程を行う。なお、この充填する砂Ｓは、周りの地盤より透水係数の大きなたとえば粒径の大きな砂であり、また、その代替として粒状を呈したものでも良い。
【００３８】
このように緩み領域Ｔに砂Ｓを充填することによって、造作した緩み領域Ｔが土圧により閉塞されることがないようにして、後工程の固結改良体造成工程にて行う注入材Ｍの注入に支障をきたすことがないようにしている。
【符号の説明】
【００３９】
１…噴射ロッド、２…噴射ノズル、３…注入管、４…外管、５…バルブ部、６…内管、７…ダブルパッカー、８…吐出口、１０…ケーシングパイプ、１１…充填ロッド、１２…吐出孔、２０…ケーシングパイプ、２３…注入管、２４…外管、２５…バルブ部、２６…内管、２７…ダブルパッカー
【図１】
0005550177.tif 000002
【図２】
0005550177.tif 000003
【図３】
0005550177.tif 000004
【図４】
0005550177.tif 000005
【図５】
0005550177.tif 000006
【図６】
0005550177.tif 000007
【図７】
0005550177.tif 000008
【図８】
0005550177.tif 000009
【図９】
0005550177.tif 000010
【図１０】
0005550177.tif 000011